(57)【要約】【課題】２種類の飲料を区画分けした容器内に各収容し、選択的に１種類だけを飲むことが出来る分割式飲料用容器を提供することを目的とする。【解決手段】  飲料用容器を円筒状の容器本体１と、該容器本体１の飲み口２に回転自在に装着される中蓋３とで構成し、そして本体１内に飲み口２に至るまで鉛直に区画する隔壁４を設け、容器本体１より突出させた円筒状飲み口２上面の１／３を扇形の閉塞面７で閉塞すると共に、前記隔壁４を挟んだその両側に扇形の開口５と開口６とを設けるようにした。さらに前記飲み口２に回転自在に装着される中蓋３の上面にその１／３を扇形に開口する開口８を設け、残り２／３扇形部分は閉塞面９とするようにした。【選択図】図１
2005035633.tif 000002
【特許請求の範囲】
【請求項１】
飲料用容器を円筒状の容器本体（１）と、該容器本体（１）の飲み口（２）に回転自在に装着される中蓋（３）とで構成し、容器本体（１）内に飲み口（２）に至るまで鉛直に区画する隔壁（４）を設け、円筒状の飲み口（２）上面の１／３を扇形の閉塞面（７）で閉塞すると共に、前記隔壁（４）を挟んだその両側に扇形の開口（５）と開口（６）とを設けるようにした分割式飲料用容器。
【請求項２】
前記飲み口（２）に回転自在に装着される中蓋（３）の上面にその１／３を扇形に開口する開口（８）を設け、残り２／３扇形部分は閉塞面（９）とするようにした請求項１記載の分割式飲料用容器。
【請求項３】
前記中蓋（３）の下方内面に全周に亘って形成する凹溝（１０）を飲み口（２）の外周に形成される突条のリブ（１１）に係入して中蓋（３）の回転をガイドするようにすると共に、中蓋の内周に縦方向に形成する突条のリブ（１２）を飲み口（２）の外周に形成される凹溝（１３）に係入して中蓋（３）の所定位置での回転を規制する節度とした請求項１及び請求項２記載の分割式飲料用容器。
【発明の詳細な説明】
【技術分野】
【０００１】
本発明は、２種類の飲料を区画分けした容器内に各収容し、選択的に１種類だけを飲むことが出来る分割式飲料用容器に関する。
【背景技術】
【０００２】
２種類の飲料を区画分けした容器内に各収容し、選択的に１種類だけを飲むことが出来る分割式飲料容器が色々と提案されている。例えば、特許文献１のものは、プラスチックボトルの内部を縦方向に２分割して２種類の飲み物を入れるようにしたものである。然しながらこのものは飲み口も２分割されているため、口を当て飲むときに他方側から他方の飲料が同時に口に入るか、他方側からこぼれて衣服を汚す恐れがある。
【０００３】
特許文献２のものは、ソフトドリンクや酒類の包装容器であって、その素材はアルミまたは紙、樹脂などを用い、内部を仕切り板で２分割し異なる飲料を区画毎に入れるようにしたものである。然しながらこのものは飲み口を区画毎にそれぞれ設けたものであるため特許文献１のような不具合は生じないが、従来の１個の飲み口に慣れた消費者にとってデザイン的に違和感が生じ、また飲料ごとに飲み口を使い分けねばならないので使用上わずらわしいという不具合がある。
【特許文献１】特開２０００−２４７３２３号
【特許文献２】特開２０００−８５７８１号
【発明の開示】
【発明が解決しようとする課題】
【０００４】
本発明は、かかる不具合を解消するために為されたもので、２種類の飲料を区画分けした容器内に各収容し、選択的に１種類だけを飲むことが出来る分割式飲料用容器を提供することを目的とする。
【課題を解決するための手段】
【０００５】
本発明の分割式飲料用容器は、請求項１記載のように、飲料用容器を円筒状の容器本体１と、該容器本体１の飲み口２に回転自在に装着される中蓋３とで構成し、そして本体１内に飲み口２に至るまで鉛直に区画する隔壁４を設け、容器本体１より突出させた円筒状飲み口２上面の１／３を扇形の閉塞面７で閉塞すると共に、前記隔壁４を挟んだその両側に扇形の開口５と開口６とを設けるようにしたことを特徴としている。
【０００６】
また請求項２記載のように、前記飲み口２に回転自在に装着される中蓋３の上面にその１／３を扇形に開口する開口８を設け、残り２／３扇形部分は閉塞面９とするようにしたことを特徴としている。
【０００７】
さらに請求項３記載のように、前記中蓋３の下方内面に全周に亘って形成する凹溝１０を飲み口２の外周に形成される突条のリブ１１に係入して中蓋３の回転をガイドするようにすると共に、中蓋の内周に縦方向に形成する突条のリブ１２を飲み口２の外周に形成される凹溝１３に係入して中蓋３の所定位置での回転を規制する節度としたことを特徴としている。
【発明の効果】
【０００８】
本発明によれば、容器本体１内に飲み口２に至るまでの隔壁４を設けて区画し、この飲み口の２つの開口を覆う中蓋を回転させることにより選択的に一方の開口のみを開いて飲めるようにしたものであるから、従来のように飲むときに他方の飲み口からこぼれたり、区画毎に飲み口を設ける必要が無いなどの効果がある。
【発明を実施するための最良の形態】
【０００９】
以下、本発明飲料用容器の最良の形態について図面を参照しながら詳細に説明する。
図１は、本発明分割式容器の斜視図、図２は飲み口の開口を全て閉塞した状態を示す説明図、図３は一方の開口を開いた説明図、図４は他方の開口を開いた説明図である。
【実施例】
【００１０】
本発明の分割式引用容器は、図１に示すようにポリエチレンテレフタレート（ＰＥＴ）などのプラスチック樹脂で成形されるペットボトル形の容器本体１と、該本体１の飲み口２に装着される中蓋３とから主として構成され、本体内部は底面から飲み口に至るまで鉛直に設けた隔壁４で２分割し、区画された室Ａと室Ｂとを設ける。そして本体１と同心で円筒状に突出する飲み口２の上面は、前記隔壁４を挟んでその両側に中心から１２０度に広がる扇形の開口５と開口６とを設け、そして残り上面の１／３の扇形部分を閉塞した閉塞面７としている。
【００１１】
前記飲み口２に回転自在に装着される中蓋３は、筒体であって、飲み口２と同様にその上面は中心から１２０度に広がる扇形の開口８を設け、残り２／３扇形部分は閉塞面９となっている。また中蓋の下方内面に全周に亘って形成する凹溝１０は、飲み口２の外周に形成される突条のリブ１１に係入して中蓋３の回転をガイドするものであり、縦方向に形成する突条のリブ１２は、飲み口２の外周に形成される凹溝１３に係入して中蓋３の所定位置での回転を規制するクリック（節度）として機能する。またこの中蓋２に常時はキャップ１４を装着して飲料など内容物がこぼれないようにしてある。
【００１２】
本容器から飲料等の流体物または香辛料など粒状物を選択的に取り出す場合は、常時は、図２に示すように中蓋２の開口８と飲み口２の閉塞面７とが重なった位置にあり、また中蓋２の閉塞面９が開口５及び６とを同時に覆った状態にあり内容物はこぼれることはない。このとき中蓋の縦リブ１２が飲み口の凹溝１３に係入して中蓋２の回動を規制している。
【００１３】
この状態から中蓋２を時計回りに回転させると、中蓋の閉塞面９が飲み口の開口５を徐々に露出させ、隔壁４に至ったところで回転を止めて室Ａ側の内容物を取り出すことが出来る。また逆に中蓋を半時計回りに回転させると同様に中蓋の閉塞面９が飲み口の開口６を徐々に露出させ、隔壁４に至ったところで回転を止めて室Ｂ側の内容物を取り出すことが出来る。
【産業上の利用可能性】
【００１４】
本発明によればその収容物は、飲料など流体に限らず、胡麻、塩、香辛料など粉体または粒状物の種類の異なるものを本容器に入れて選択的に一方のみをこぼすことなく確実に取り出すことが出来る。
【図面の簡単な説明】
【００１５】
【図１】本発明、分割式容器の斜視図である。
【図２】飲み口の開口を全て閉塞した状態を示す説明図である。
【図３】一方の開口を開いた状態の説明図である。
【図４】他方の開口を開いた状態の説明図である。
【符号の説明】
【００１６】
１  容器本体
２  飲み口
３  中蓋
４  隔壁
５、６  飲み口の開口
７  飲み口の閉塞面
８  中蓋の開口
９  中蓋の閉塞面
１０  中蓋の周方向の凹溝
１１  飲み口の周方向突条リブ
１２  中蓋の縦方向の突条リブ
１３  飲み口の縦凹溝
１４  キャップ
【図１】
2005035633.tif 000003
【図２】
2005035633.tif 000004
【図３】
2005035633.tif 000005
【図４】
2005035633.tif 000006